(57)【要約】      （修正有）【課題】生体に電気分極を発生させ、筋肉痛や神経痛の症状を緩和することが可能な指輪、腕輪および首輪を提供する。【解決手段】球形、楕円形、円筒形、多角形など任意の形状の鉱石、陶磁器、ガラス、木材、化石類、真珠類、炭素類または合成樹脂成型品が、その表層に於いて導電性高分子の塗膜と複合構造を形成しており、この複合構造加工品が生体に接触した時に、生体と接触している複合構造加工品の表面と、複合構造加工品の表面と接触していない生体表面との間に１０〜１０００ｍＶの電位差を生じる分極性電極となる。分極性電極の内部に設けられた貫通孔を通して、またはその分極性電極の表面に設けられた保持具を通して、紐または鎖によって連結されて、少なくとも１個以上の分極性電極が組み込まれる。【選択図】図２
0003162394.tif 000002
【実用新案登録請求の範囲】
【請求項１】
球形、楕円形、円筒形、多角形など任意の形状の鉱石、陶磁器、ガラス、木材、化石類、真珠類、炭素類または合成樹脂成型品が、その表層に於いて導電性高分子の塗膜と複合構造を形成しており、この複合構造加工品が生体に接触した時に、生体と接触している複合構造加工品の表面と、複合構造加工品の表面と接触していない生体表面との間に１０〜１０００ｍＶの電位差を生じる分極性電極となって、その分極性電極の内部に設けられた貫通孔を通して、またはその分極性電極の表面に設けられた保持具を通して、紐または鎖によって連結されて、少なくとも１個以上の分極性電極が組み込まれた指輪、腕輪または首輪。
【請求項２】
球形、楕円形、円筒形、多角形など任意の形状の鉱石、陶磁器、ガラス、木材、化石類、真珠類、炭素類または合成樹脂成型品が、その表層に於いてカップリング剤を含有した導電性高分子の塗膜と複合構造を形成しており、この複合構造加工品が生体に接触した時に、生体と接触している複合構造加工品の表面と、複合構造加工品の表面と接触していない生体表面との間に１０〜１０００ｍＶの電位差を生じる分極性電極となって、その分極性電極の内部に設けられた貫通孔を通して、またはその分極性電極の表面に設けられた保持具を通して、紐または鎖によって連結されて、少なくとも１個以上の分極性電極が組み込まれた指輪、腕輪または首輪。
【考案の詳細な説明】
【技術分野】
【０００１】  本考案は、生体に接触させた時に、生体内に電気分極を発生させることが可能な指輪、腕輪および首輪に関するもので、筋肉や神経の痛みを緩和することを主目的とする用途に使用されるものである。
【背景技術】
【０００２】  生体に直流または交流の電気を通電して行う痛みの緩和治療は、電源として整流器を用いる方法、発電機を用いる方法、あるいは化学電池を用いる方法などがある。いずれの方法も負電極から放出された電子が生体を経由して正電極に到達するという電気回路を形成している。この様に電気治療では、正電極と負電極を生体に配置し、その電極間に電気を流して生体を刺激して痛みなどを改善する事や、電気泳動現象を利用して薬物を生体内に送り込む事を行っている。またその治療装置も高価で有り一般に普及する事を阻んでいる。
このような点を改善するために、本考案者は、今まで体内に電界を形成可能な分極性陽電極を提案してきた。しかしこれらの電極は、指、腕および首部などの場所には、外観を損なうという欠点があり、普及の妨げとなっていた。
【先行技術文献】
【特許文献】
【０００３】
【特許文献１】特開  ２００８−２２６８３４  化学電池および電位差の発生方法
【特許文献２】実登  ３１４５３９９  沿面上に電界を形成させるための発電素子
【非特許文献】
【０００４】
【非特許文献１】直流電流通電治療機器メーカ、シンノオル社、エルホト社、トリカーブロ社、カブラキ医療商事、良導絡研究所などのホームページ
【考案の概要】
【考案が解決しようとする課題】
【０００５】  分極性電極機能を有する指輪、腕輪および首輪を開発する。
【課題を解決するための手段】
【０００６】  本考案品は、宝飾具または装身具に用いる球形、楕円形、円筒形、多角形など任意の形状の鉱石、陶磁器、ガラス、木材、化石類、真珠類、炭素類または合成樹脂成型品が、その表層に於いて導電性高分子の塗膜と複合構造を形成しており、この複合構造加工品が生体に接触した時に、生体に接触している複合構造加工品の表面と、複合構造加工品の表面と接触していない生体表面との間に１０〜１０００ｍＶの電位差を生じる分極性電極となり、この分極性電極となった複合構造加工品が少なくとも１個以上連結して組み込まれた指輪、腕輪および首輪である。【０００７】  この分極性電極となった複合構造加工品は、その内部に設けられた貫通孔を通して、または分極性電極となった複合構造加工品の表面に設けられた保持具を通して、紐または鎖によって連結して、指輪、腕輪または首輪とするものである。なお１本の指輪、腕輪または首輪を構成する球形、楕円形、円筒形、多角形など任意の形状の鉱石、陶磁器、ガラス、木材、化石類、真珠類、炭素類または合成樹脂成型品は、すべて導電性高分子の塗膜と複合構造のもので構成する必要はなく、導電性高分子と複合化されていない在来の鉱石、陶磁器、ガラス、木材、化石類、真珠類、炭素類または合成樹脂成型品と組み合わせた構成でも、電気分極の程度は低下するが、部分的に電気分極を生じさせる事は可能であり、本考案の範囲に含まれる。【０００８】  この分極性電極は導電性高分子の塗膜としてポリチオフェンが透明性に優れ好ましい。ポリピロールやポリアニリンなどの導電性高分子も着色しているが、この着色を利用して意匠効果を高めることが出来るので、本考案に於いて排除されるものではない。【０００９】  導電性高分子は水または有機溶剤によって希釈された液状のものを用いる。これを球形、楕円形、円筒形、多角形など任意の形状の鉱石、陶磁器、ガラス、木材、化石類、真珠類、炭素類または合成樹脂成型品の加工品に含浸法または吹きつけ法など既存の方法によって塗布される。塗布に際しては、適当な粘度に調節して塗布する。また被塗布物との接着性を高めるために、各種カップリング剤を共用することが好ましい。カップリング剤は、被塗布物に予め塗布したのちに導電性高分子溶液を塗布する方法か、導電性高分子溶液に予め添加溶解しておいて塗布する方法によって行う。これは、カップリング剤の使用に於いて、既に行われている方法である。カップリング剤の添加量は、導電性高分子にたいし、固形分比で０．１〜２．０％が好ましい。またカップリング剤の種類はアミノシラン系のものが好ましい。【００１０】  本考案の指輪、腕輪および首輪と生体の分極によって生じた電位差は、生体、例えば左手の指と電位差計のプラス端子を導電性高分子の塗膜に接触した状態で、マイナス端子を右手親指と人差し指間、足指間あるいは生体の任意の場所に接触させ、その時ほぼ安定した値となった時の電位の表示値を測定値とする。電位差計は、（株）エー・アンド・デイ社ＡＤ−５５２９を使用した。
【考案の効果】
【００１１】  本考案の指輪、腕輪および首輪は、指輪では指関節痛や指の震えが緩和され、腕輪では腱鞘炎の症状が緩和され、首輪にあっては、肩付近のコリや痛みの症状を緩和するという効果がある。考案の課題である外観についても、他人には治療が行われているという事には全く気付かれる事が無くなり、意匠効果が発揮され、初期の課題を達成できた。
【図面の簡単な説明】
【００１２】
【図１】球形または円筒形複合構造加工品の貫通孔に直角方向の断面図
【図２】円筒形複合構造加工品の長さ方向断面図
【図３】吊下げ型の複合構造加工品説明図
【考案を実施するための形態】
【００１３】  導電性高分子としてはポリチオフェンが透明性に優れており、最も適当な選択と考えられる。（例えば化研産業エノコートＢＰ−１０５、エノコートＨＣ−２０００、三協化成産業ＣＬＥＶＩＯＳ，信越ポリマーＳＥＰＬＥＧＹＤＡ）球形、楕円形など任意の形状の鉱石、陶磁器、ガラス、木材、化石類、真珠類、炭素類または合成樹脂成型品は導電性高分子溶液に浸漬して塗布する。塗布後８０℃で３〜５分乾燥し複合構造加工品を得ることが出来る。この加工品中央部に穴加工し、そこに紐を通して数珠状に加工品を連結し適当な長さの輪になった指輪、腕輪または首輪に仕上げる。導電性高分子の塗膜は１０〜５０μｍの厚さがあればよい。
【００１４】  本考案の複合構造加工品は、鉱物質などの無機物と有機物である導電性高分子の複合化の場合には、両者間の結合を確実にするために、定法に従いアミノシランなどのカップリング剤を使用することが好ましい。例えば、信越化学製シランカップリング剤  ＫＢＭ−６０３の濃度０．１〜２．０％の水溶液に被塗布物を１〜２分浸漬し乾燥してから導電性高分子を塗布すると良い。木材系の場合にはカップリング剤は特に必要としない。合成樹脂成型品の場合は、その種類によって結合の度合いに差異があるので、導電性高分子との相性について十分事前の確認が必要である。多くの場合、エポキシ樹脂やアクリル樹脂などを併用すると良い結果が得られる。
【００１５】  複合構造加工品は、耐久性を十分に確認することが重要である。最も重視する点は、耐水性と耐摩耗性である。この特性の標準試験法は無いが、実際に生体に装着して分極性能の低下がない事を確認する必要がある。前記電位差の測定法による電位の値が１５０ｍＶ以上を保持している事が好ましい。
【産業上の利用可能性】
【００１６】  本考案品は、指、腕および首部に絆創膏などの医療具を使うことなく宝飾品や装身具の形で痛みやこりの症状を緩和できるものとなる。このために見栄えを損なうことなく疾病症状を緩和できるので、産業として利用され発展すると考えられる。
【符号の説明】
【００１７】１  鉱石、陶磁器、ガラス、木材、化石類、真珠類、炭素類または合成樹脂成型品の球形加工品または円筒形加工品の表面  （真珠類は球形のみ）
２  鉱石、陶磁器、ガラス、木材、化石類、真珠類、炭素類または合成樹脂成型品（真珠類は球形のみ）
３  導電性高分子の塗膜
４  紐または鎖を通すための貫通孔
５  保持具…吊輪と分極性電極の連結用金具
６  保持具…吊輪
７  彫刻模様
【図１】
0003162394.tif 000003
【図２】
0003162394.tif 000004
【図３】
0003162394.tif 000005